(57)【要約】【課題】手動ハンドルを用いて背上げ床部を手動で駆動するとき、駆動回路に設けられたモータに夜電気ブレークが生じないようにしたベッド装置を提供することにある。【解決手段】ベッド本体と、ベッド本体の上面に固定して設けられた固定床部及びこの固定床部に回動可能に連結して設けられた背上げ床部を有する床板体と、ベッド本体に設けられ床板体の背上げ床部を起伏駆動する駆動機構及び駆動機構を作動させるモータ１２を有する電動アクチュエータと、駆動機構をモータに代わって手動で駆動するための手動ハンドルと、駆動機構を手動ハンドルによって駆動するとき、電動アクチュエータのモータの駆動回路に電磁ブレーキが生じるのを遮断する解除スイッチ３５を具備する。【選択図】図５
2014212844.tif 000002
【特許請求の範囲】
【請求項１】
ベッド本体と、
このベッド本体の上面に固定して設けられた固定床部及びこの固定床部に回動可能に連結して設けられた可動床部を有する床板体と、
上記ベッド本体に設けられ上記床板体の上記可動床部を起伏駆動する駆動機構及びこの駆動機構を作動させるモータを有する電動アクチュエータと、
上記駆動機構を上記モータに代わって手動で駆動するための手動ハンドルと、
上記駆動機構を上記手動ハンドルによって駆動するとき、上記電動アクチュエータの上記モータの回路に電磁ブレーキが生じるのを遮断する解除手段と
を具備したことを特徴とするベッド装置。
【請求項２】
上記ベッド本体の長手方向一端にはヘッドボードが設けられ、他端にはフットボードが設けられ、上記電動アクチュエータは上記ベッド本体の上記フットボード側に設けられていて、上記解除手段は上記フットボード側に設けられていることを特徴とする請求項１記載のベッド装置。
【請求項３】
上記電動アクチュエータを操作するためのコントローラを有し、上記解除手段は上記コントローラに設けられていることを特徴とする請求項１記載のベッド装置。
【請求項４】
上記解除手段は、上記モータによる上記駆動機構の作動を停止しているときに形成される閉回路を開放する解除スイッチであることを特徴とする請求項１乃至３のいずれかに記載のベッド装置。
【発明の詳細な説明】
【技術分野】
【０００１】
この発明は床板体を複数の床部に分割し、その床部の一部を起伏駆動させることができる、いわゆる背上げ式のベッド装置に関する。
【背景技術】
【０００２】
一般に、ベッド装置はベッド本体を有し、このベッド本体には床板体が設けられる。この床板体の上面にはマットレスが載置される。上記床板体は複数の床部に分割されている。複数の床部のうちの１つは、上記ベッド本体に固定された固定床部となっていて、他の床部のうちの、少なくとも利用者の上半身に対応する部分に位置する床部は上記固定床部に回動可能に連結された、可動床部としての背上げ床部となっている。
【０００３】
上記背上げ床部は手動或いは電動によって起伏駆動されるようになっている。最近では手動よりも操作が容易である電動で起伏駆動できるようにしたベッド装置が多く採用されている。
【０００４】
電動によって上記背上げ床部を起伏駆動する場合、上記ベッド本体に電動アクチュエータが設けられる。この電動アクチュエータは、上記背上げ床部を起伏駆動するための駆動機構を有し、この駆動機構はモータによって作動させられるようになっている。
【０００５】
上記電動アクチュエータを有するベッド装置は、この電動アクチュエータを作動させるためのコントローラを備え、このコントローラの操作によって上記背上げ床部を起伏させることができるようになっている。
【０００６】
ところで、停電時や上記モータが故障したような場合、上記コントローラによって上記電動アクチュエータを作動させることができなくなるということがある。その場合、ベッド装置の利用者は上半身を起こしたままの状態、或いは上半身を起こすことのできないままの状態となるから、利用者の身体に負担が掛かるということになる。
【０００７】
とくに、利用者が病人の場合、たとえば上半身を起こした姿勢を長時間にわたって維持しなければならなくなると、身体に掛かる負担が大きく増大するということがある。
【０００８】
そこで、停電時や上記モータが故障したような場合であっても、上記電動アクチュエータ（リニアアクチュエータ）を手動で作動させることができるようにしたものが開発されている。
【０００９】
上記構成の上記電動アクチュエータは、モータと、このモータの回転によって駆動される駆動力伝達機構部と、この駆動力伝達機構部の駆動によってリニア駆動されるアクチュエータロッドと、上記外部入力シャフトを介して上記駆動力伝達機構部を駆動することができる手動操作ハンドルと、上記外部入力シャフトと駆動力伝達機構部との間に設けられたクラッチ機構とによって構成される。
【００１０】
そして、通常時には上記モータが作動すると、上記駆動力伝達機構部によって上記アクチュエータロッドがリニア駆動されることで、このアクチュエータロッドによって可動床部が起伏駆動されるようになっている。
【００１１】
停電時などには、上記手動操作ハンドルによって上記外部入力シャフトを回転駆動することで、上記クラッチ機構の作動によって、上記モータを回転させずに上記アクチュエータロッドをリニア駆動せることができるようにしている。
【００１２】
それによって、手動操作時に上記モータが回転することで生じる負加である、上記モータによる電磁ブレーキ作用が生じるのを防止できるから、上記手動操作ハンドルによって可動床部の駆動操作を比較的軽い力で容易に行なうことができるようにしている。
【先行技術文献】
【特許文献】
【００１３】
【特許文献１】特開平９−１９１６１１号公報
【発明の概要】
【発明が解決しようとする課題】
【００１４】
上述したように、上記モータと上記アクチュエータロッドの間に上記クラッチ機構を設ければ、上記手動操作ハンドルによって上記外部入力シャフトを回転駆動したとき、上記クラッチ機構の作用によってモータを回転させずに可動床部を起伏駆動させることができる。それによって、上記可動床部の起伏駆動操作を、上記モータに電磁ブレーキ作用を生じさせることなく軽い操作力で行なうことが可能となる。
【００１５】
しかしながら、上述した構成によると、上記駆動力伝達機構部にクラッチ機構を設けなければならない。クラッチ機構は非常に高価であるばかりか、構成が複雑であり、しかも上記駆動力伝達機構部に上記クラッチ機構を設けることで、上記駆動力伝達機構部が大型化するということがある。つまり、上記クラッチ機構を設けることによって、コストアップや構成の複雑化及び大型化を招くということがあった。
【００１６】
この発明は、手動ハンドルを用いて可動床部を手動で起伏駆動するとき、クラッチ機構を用いなくとも、モータの回転によって電磁ブレーキが発生するのを防止することで、上記可動床部の起伏駆動を軽い操作力で容易に行なうことができるようにしたベッド装置を提供することにある。
【課題を解決するための手段】
【００１７】
この発明は、ベッド本体と、
このベッド本体の上面に固定して設けられた固定床部及びこの固定床部に回動可能に連結して設けられた可動床部を有する床板体と、
上記ベッド本体に設けられ上記床板体の上記可動床部を起伏駆動する駆動機構及びこの駆動機構を作動させるモータを有する電動アクチュエータと、
上記駆動機構を上記モータに代わって手動で駆動するための手動ハンドルと、
上記駆動機構を上記手動ハンドルによって駆動するとき、上記電動アクチュエータの上記モータの回路に電磁ブレーキが生じるのを遮断する解除手段と
を具備したことを特徴とするベッド装置にある。
【００１８】
上記ベッド本体の長手方向一端にはヘッドボードが設けられ、他端にはフットボードが設けられ、上記電動アクチュエータは上記ベッド本体の上記フットボード側に設けられていて、上記解除手段は上記フットボード側に設けられていることが好ましい。
【００１９】
上記電動アクチュエータを操作するためのコントローラを有し、上記解除手段は上記コントローラに設けられていることが好ましい。
【００２０】
上記解除手段は、上記モータによる上記駆動機構の作動を停止しているときに形成される閉回路を開放する解除スイッチであることが好ましい。
【発明の効果】
【００２１】
この発明によれば、可動床部を起伏駆動する駆動機構を手動ハンドルによって駆動するとき、電動アクチュエータのモータの回路に生じる電磁ブレーキを解除手段によって遮断することができる構成とした。
【００２２】
つまり、モータの回路に生じる電磁ブレーキを解除手段によって電気的に遮断することができるから、クラッチ機構を用いる場合に比べて構成が簡単かつ小型で、しかも安価に構成することが可能となる。
【図面の簡単な説明】
【００２３】
【図１】この発明の一実施の形態を示すベッド装置の正面図。
【図２】電動アクチュエータの主要部を断面して示す平面図。
【図３】上記電動アクチュエータのウオームとウオームホイールの部分を示す断面図。
【図４】コントローラの正面図。
【図５】解除スイッチによってモータの駆動回路が閉じられた状態を示す図。
【図６】解除スイッチによってモータの駆動回路が開放された状態を示す図。
【図７】背上げ床部を駆動操作するときの説明図。
【発明を実施するための形態】
【００２４】
以下、この発明の一実施の形態を図面を参照しながら説明する。
【００２５】
図１はベッド装置を示す正面図であって、このベッド装置はベッド本体１を備えている。このベッド本体１の長手方向一端にはヘッドボード２が設けられ、他端にはフットボード３が設けられている。
【００２６】
上記ベッド本体１の上面には床板体４が設けられている。この床板体４は複数の床部に分割されている。この実施の形態では固定床部５と、可動床部としての背上げ床部６との２つに分割されている。
【００２７】
上記固定床部５は上記ベッド本体１の上面の上記フットボード３側に載置されて上記ベッド本体１に固定され、上記背上げ床部６は上記ヘッドボード３側に設けられて一端が上記固定床部５の一端に回動可能に連結されている。
【００２８】
上記ベッド本体１の上記フットボード３側の下面には支持部材８が設けられ、この支持部材８には支軸９によって後述する構成の電動アクチュエータ１１が揺動可能に設けられている。この電動アクチュエータ１１は上記背上げ床部６を図１に実線で示す水平に倒伏した状態から、鎖線で示す起上する方向へ駆動できるようになっている。
【００２９】
図２と図３に示すように、上記電動アクチュエータ１１は駆動源となるモータ１２と、このモータ１２の回転力を減速して伝達する駆動機構１３によって構成されている。すなわち、上記駆動機構１３はケーシング１４ケーシング１４の内部に設けられている。上記モータ１２は上記ケーシング１４の一端部の外部に、軸線を上記ケーシング１４の軸線と直交させて取付けられている。
【００３０】
上記モータ１２の出力軸１２ａは上記ケーシング１４の内部に突出していて、その出力軸１２ａには上記駆動機構１３を構成するウオーム１５が取り付けられている。図２に示すように、上記ケーシング１４の先端開口部にはガイド筒１６の一端が取付け固定されている。
【００３１】
上記ケーシング１４と上記ガイド筒１６との内部にはねじ軸１７が軸線を上記ケーシング１４の軸線と一致させて挿通されている。このねじ軸１７の一端部には上記ウオーム１５に噛合するウオームホイール１８が外嵌固定されている。
【００３２】
上記ねじ軸１７の上記ウオームホイール１８が嵌合された部分よりも先端部側は上記ケーシング１４の後端側に形成された筒状部１９内に突出している。上記ねじ軸１７の上記筒状部１９内に突出した末端には凹状の係合部１７ａが形成されている。
【００３３】
上記ねじ軸１７は上記ケーシング１４内で、スラスト軸受２１と一対のラジアル軸受２２ａ，２２ｂによって軸方向に移動不能な状態で回転可能に支持されている。上記ねじ軸１７の上記ガイド筒１６内に位置する部分にはナット体２４が螺合されている。このナット体２４は上記ガイド筒１６に対して回転不能な状態で軸方向に移動可能に設けられている。
【００３４】
上記ナット体２４には、上記ガイド筒１６に移動可能に挿通された駆動軸２５の基端部に取付けられている。上記ガイド筒１６から突出した上記駆動軸２５の先端部には長孔２５ａが形成されている。上記駆動軸２５の先端部は、図１に示すように上記床板体４の上記背上げ床部６の下面に一端が連結されたアーム２６の他端に上記長孔２５ａを介して連結ピン２７によって回動可能に連結されている。
【００３５】
上記モータ１２が駆動され、上記ウオーム１５によって上記ウオームホイール１８が回転駆動され、その回転に上記ねじ軸１７が連動すると、このねじ軸１７に螺合されたナット体２４が上記ねじ軸１７に沿って上記ガイド筒１６内を軸方向に直線駆動される。
【００３６】
それによって、上記ナット体２４に上記駆動軸２５が連動するから、この駆動軸２５に連結された上記アーム２６が矢印方向に回動し、その回動に上記背上げ床部６が連動するから、倒伏した状態から起上方向或いは起上した状態から倒伏方向に駆動されるようになっている。
【００３７】
図２に示すように、上記ケーシング１４の上記筒状部１９内に位置する上記ねじ軸１７の先端の係合部１７ａには、クランク状に曲成された手動ハンドル２７の先端部に設けられた軸状部２８を着脱可能に係合させることができるようになっている。この軸状部２８は中空状になっていて、その内底部には上記係合部１７ａに係合する突起部２８ａが設けられている。なお、上記手動ハンドル２７の後端には、この手動ハンドル２７を回転操作するときに把持するためのグリップ２８ｂが回動可能に設けられている。
【００３８】
上記手動ハンドル２７の先端の軸合部２８を上記筒状部１９に挿入すれば、上記ねじ軸１７の先端の係合部１７ａに上記突起部２８ａが係合する。
【００３９】
したがって、その状態で上記手動ハンドル２７を回転させれば、その回転に上記ねじ軸１７が連動して回転するから、上記モータ１２によって上記ねじ軸１７を回転させたときと同様、上記ねじ軸１７の回転方向に応じて上記背上げ床部６を起上方向或いは倒伏方向に駆動することができる。
【００４０】
この実施の形態では、上記手動ハンドル２７は上記ケーシング１４と別体に設けられている。しかしながら、たとえば上記手動ハンドル２７の先端の軸状部２８を上記筒状部１９に折り畳み可能に連結し、折り畳まれた状態から起立方向に回動させたときに、上記係合部１７ａに、上記ねじ軸１７の突起部２８ａが係合する構造としてもよい。
【００４１】
なお、上記電動アクチュエータ１１は、上記ねじ軸１７の係合部１７ａが上記フットボード３側に位置するよう、上記ベッド本体１に設けられている。
【００４２】
図５と図６は上記モータ１２の駆動回路３１を示している。この駆動回路３１は背上げスイッチ３２と背下げスイッチ３３を有する。各スイッチ３２，３３は共通接点３２ａ，３３ａ、オン接点３２ｂ，３３ｂ及びオフ接点３２ｃ，３３ｃを有する。各スイッチ３２，３３はスイッチ釦を押して操作したときだけオンの状態になり、操作を解除すればオフの状態に戻るようになっている。
【００４３】
上記背上げスイッチ３２と上記背下げスイッチ３３の共通接点３２ａ，３３ａ間には上記モータ１２と、このモータ１２に後述するように生じる電磁ブレーキを解除する解除手段としての解除スイッチ３５が設けられている。
【００４４】
図５と図６に示すように、上記背上げスイッチ３２と上記背下げスイッチ３３がオフの状態にあるとき、これらスイッチ３２，３３の上記共通接点３２ａと上記オフ接点３２ｃ及び上記共通接点３３ａと上記オフ接点３３ｃがそれぞれ電気的に接続されている。各オフ接点３２ｃ，３３ｃはアース線３６によってアースされ、各オン接点３２ｂ，３３ｂはＤＣ電源に接続されている。
【００４５】
したがって、上記背上げスイッチ３２を操作してその共通接点３２ａとオン接点３２ｂを接続すれば、上記モータ１２に電流が流れて上記モータ１２の出力軸１２ａが所定方向、たとえば時計方向に回転する。それによって、上記駆動軸２５が上記ガイド筒１６から突出する方向に駆動され、上記背上げ床部６が水平な状態から起上方向に駆動されるようになっている。
【００４６】
上記背上げ床部６が所定の角度まで上昇した状態で、上記背上げスイッチ３２の操作を止めれば、上記背上げ床部６はそのときの上昇角度で停止し、上記ウオーム１５とウオームホイール１８との噛み合いによってその状態が維持される。
【００４７】
起上した上記背上げ床部６を倒伏させる場合、上記背下げスイッチ３３を操作する。それによって、上記背下げスイッチ３３の共通接点３３ａとオン接点３３ｂが導通し、上記モータ１２に先程と逆方向の電流が流れるから、上記モータ１２の出力軸１２ａが反時計方向に回転駆動される。それによって、起上した上記背上げ床部６は倒伏方向に駆動されることになる。
【００４８】
なお、詳細は図示しないが、上記背上げ床部６が設定された最大限の角度まで起上したときと、水平となる角度まで倒伏したときには、それぞれリミットスイッチが作動して上記モータ１２への通電が遮断される。それによって、背上げスイッチ３２や背下げスイッチ３３を操作していても、上記背上げ床部６は駆動が停止されるようになっている。
【００４９】
図４は上記電動アクチュエータ１１を遠隔的に操作するためのコントローラ３８であって、このコントローラ３８には電源スイッチ３９、上記背上げスイッチ３２、上記背下げスイッチ３３、及び上記解除スイッチ３５が設けられている。この解除スイッチ３５は上記コントローラ３８だけでなく、図１に示すように上記フットボード３にも設けられている。そして、上記コントローラ３８にはフック４１が設けられ、このフック４１によって上記コントローラ３８を上記フットボード３や上記ヘッドボード２などに着脱可能に係止させることができるようになっている。
【００５０】
上記コントローラ３８には先端にコネクタ４２を有するリード線４３が接続され、上記コネクタ４２が上記ベッド本体１の下面に設けられた制御装置４４に接続されるようになっている。
【００５１】
なお、上記解除スイッチ３５は上記電動アクチュエータ１１のケーシング１４に設けたり、上記ベッド本体１の上記フットボード３側に位置する側面や下面に設けるようにしてもよい。つまり、上記解除スイッチ３５は上記フットボード３側に設けるようにしてもよい。
【００５２】
上記構成のベッド装置によれば、上記コントローラ３８に設けられた電源スイッチ３９をオンにした状態で、上記背上げスイッチ３２を操作すれば、ベッド装置の背上げ床部６を上昇方向に起上させることができる。また、起上した背上げ床部６を倒伏させるためには、上記コントローラ３８に設けられた背下げスイッチ３３を操作すればよい。
【００５３】
上記背上げ床部３２を起伏操作する場合、図５に示すように解除スイッチ３５はヘイの状態にある。それによって、上記モータ１２が設けられた駆動回路３１が閉じられている。
【００５４】
ところで、停電時、上記モータ１２の故障時、或いはこのモータ１２が設けられた駆動回路３１が故障した場合など、上記コントローラ３８の上記背上げスイッチ３２や背下げスイッチ３３を操作しても、上記背上げ床部６を動作させることができなくなる。
【００５５】
そのような場合には、図６に示すように上記コントローラ３８又は上記フットボード３に設けられた上記解除スイッチ３５を操作し、上記モータ１２が設けられた駆動回路３１を開放する。
【００５６】
そして、手動ハンドル２７の先端に設けられた軸状部２８を、上記ケーシング１４に形成された筒状部１９に挿入し、その先端の突起部２８ａを上記ねじ軸１７の上記末端に形成された係合部１７ａに係合させる。
【００５７】
ついで、上記手動ハンドル２７を回転させることで、上記ねじ軸１７を連動させる。このねじ軸１７の回転方向によって上記背上げ床部６を起上方向或いは倒伏方向に駆動することができるから、起上状態にある上記背上げ床部６或いは倒伏状態にある上記背上げ床部６を所望する方向へ手動によって作動させることができる。
【００５８】
上記手動ハンドル２７によって上記ねじ軸１７を回転させる際、上記解除スイッチ３５をオフに操作したことで、上記モータ１２が設けられた駆動回路３１が開放されている。そのため、上記手動ハンドル２７によって上記ねじ軸１７を回転させることで、このねじ軸１７の回転によって上記モータ１２の出力軸１２ａが回転させられても、その回転による上記モータ１２の発電作用によって電磁ブレーキ作用が生じることがない。
【００５９】
したがって、上記手動ハンドル２７による上記ねじ軸１７の回転操作、つまり手動による上記背上げ床部６の起伏操作を軽い力で容易に行なうことができる。
【００６０】
上記解除スイッチ３５は上記コントローラ３８と上記フットボード３の両方に設けられている。そのため、上記手動ハンドル２７によって上記背上げ床部６を起伏操作するとき、上記解除スイッチ３５の操作を容易に行なうことができる。とくに、上記手動ハンドル２７による操作はフットボード３側で行なうことになるから、上記解除スイッチ３５がフットボード３に設けられていることによって、上記背上げ床部６の手動での起伏操作を容易に行なうことが可能となる。
【００６１】
上記コントローラ３８の上記背上げスイッチ３２或いは上記背下げスイッチ３３を操作して背上げ床部６を起上方向或いは倒伏方向に駆動している際、上記解除スイッチ３５をオフにすれば、上記駆動回路３１が開放されるから、上記モータ１２への通電を遮断することができる。
【００６２】
そのため、上記解除スイッチ３５は上記背上げ床部６の駆動を緊急に停止する停止スイッチとしても利用することができる。たとえば、上記ベッド装置のフットボード３の近くにいる人が、倒伏する上記背上げ床部６に物が挟まれそうな状態や、床板体４上の利用者の手足が挟まれそうな状態に気付いたとき、上記解除スイッチ３５を操作して上記背上げ床部６の動作を停止させることができる。
【００６３】
図７は手動ハンドル２７によって背上げ床部６を操作するときの流れを示す説明図である。つまり、手動ハンドル２７によって背上げ床部６を操作するとき、解除スイッチ３５が閉の状態で、駆動回路３１に通電されていると、手動ハンドル２７によってねじ軸１７を回転させると、モータ１２に電子ブレーキが生じる。したがって、手動ハンドル２７の操作が重くなり、操作性が悪くなる。
【００６４】
一方、手動ハンドル２７によって背上げ床部６を操作するとき、解除スイッチ３５が開の状態で、駆動回路３１への通電が遮断されていると、手動ハンドル２７によってねじ軸１７を回転させても、モータ１２に電子ブレーキが生じることがない。したがって、手動ハンドル２７の操作を軽い力で容易に行なうことができる。
【００６５】
この発明は上記一実施の形態に限定されるものではなく、種々変形可能である。たとえば、床板体の床部を２つに分割し、そのうちの背上げ床部だけを起伏駆動する構成を例に挙げて説明したが、上記床板体を固定床部の他に、２つの脚床部、腰床部及び背上げ床部の合計で５つの床部に分割し、上記背上げ床部の他に上記脚床部を起伏駆動する構成であってもよい。
【００６６】
その場合、上記背上げ床部を駆動するモータと、上記脚床部を駆動するモータが別の場合があるが、その場合には各モータの駆動回路にそれぞれ上記解除スイッチを設けるようにすればよい。
【００６７】
また、上記背上げ床部や上記脚床部を駆動する電動アクチュエータの構造は、背上げ床部や脚床部などの可動床部を起伏駆動することができる構成であればよく、要はモータによって可動床部を起伏駆動させることができない場合に、手動ハンドルを用いて上記可動床部を起伏させる構成であれば、この発明を適用することができる。
【符号の説明】
【００６８】
１…ベッド本体、２…ヘッドボード、３…フットボード、４…床板体、６…背上げ床部（可動床部）、１１…電動アクチュエータ、１２…モータ、１３…駆動機構、２７…手動ハンドル、３１…駆動回路、３２…背上げスイッチ、３３…背下げスイッチ、３５…解除スイッチ、３８…コントローラ。
【図１】
2014212844.tif 000003
【図２】
2014212844.tif 000004
【図３】
2014212844.tif 000005
【図４】
2014212844.tif 000006
【図５】
2014212844.tif 000007
【図６】
2014212844.tif 000008
【図７】
2014212844.tif 000009